(57)【要約】【課題】  次世代原盤記録装置を用いて製作されたディスクであって、再生信号のアシンメトリが情報再生可能なレベルに小さい値となる光ディスクを提供する。【解決手段】  本発明の１実施形態に係る光ディスクは、基準クロックから算出される最短マーク長をＬｎ０Ｔとしたとき、光ディスク上に記録されている実際の最短マーク長がＬｎ0Ｔ×０．６以下である。この光ディスクは例えばＰＲＭＬ方式にて情報再生する再生装置に適した再生信号を提供する。【選択図】    図６
2008299955.tif 000002
【特許請求の範囲】
【請求項１】
基準クロックから算出される最短マーク長をＬｎ０Ｔとしたとき、光ディスク上に記録されている実際の最短マーク長がＬｎ0Ｔ×０．６以下であることを特徴とする光ディスク。
【請求項２】
前記光ディスクは、前記基準クロックから算出される最短マーク長Ｌｎ0Ｔが０．１７μｍ〜０．２１μｍであることを特徴とする請求項１記載の光ディスク。
【請求項３】
前記光ディスクは、直径０．３４〜０．６３μｍのレーザ光スポットにより再生されるよう構成されていることを特徴とする請求項１記載の光ディスク。
【請求項４】
前記光ディスクは、ＰＲＭＬ方式を用いて再生されることを特徴とする請求項１記載の光ディスク。
【請求項５】
前記光ディスクは、情報を示すマークがピット状の凹凸により形成されている再生専用光ディスクであることを特徴とする請求項１記載の光ディスク。
【請求項６】
前記光ディスクは、ピット深さが全てのピットで等しいことを特徴とする請求項５記載の光ディスク。
【請求項７】
基準クロックから算出されるｎＴマークの理論的マーク長をＬｎＴ、その実際の長さをＬ´ｎＴとし、
ＬｎＴ＜（再生ドライブの再生ビームスポット径）を満たすｎをｎ１、
ＬｎＴ＞（再生ドライブの再生ビームスポット径）を満たすｎをｎ２、
とした場合、
Ｌ´ｎ1Ｔ／ｎ１  ＜    ＬｎＴ／ｎ  
であることを特徴とする請求項１記載の光ディスク。
【請求項８】
基準クロックから算出されるｎＴマークの理論的マーク長をＬｎＴ、その実際の長さをＬ´ｎＴとし、
ＬｎＴ＜（再生ドライブの再生ビームスポット径）を満たすｎをｎ１、
ＬｎＴ＞（再生ドライブの再生ビームスポット径）を満たすｎをｎ２、
とした場合、
Ｌ´ｎ1Ｔ／ｎ１  ＜  Ｌ´ｎ２Ｔ／ｎ２  ≦  ＬｎＴ／ｎ  
であることを特徴とする請求項１記載の光ディスク。
【請求項９】
前記光ディスクは、情報を示すマークがピット状の凹凸により形成され、ピット壁面の傾斜角度に応じて、前記実際の最短マーク長が設定されていることを特徴とする請求項１記載の光ディスク。
【請求項１０】
請求項１記載の光ディスクの原盤を製作する方法であって、基準クロックから算出される最短マーク長をＬｎ0Ｔとすると、Ｌｎ0Ｔ×０．９以下のビームスポット径のビームを用いて原盤に情報を記録する工程を含むことを特徴とする光ディスク原盤製作方法。
【請求項１１】
光ディスクに記録された情報を再生するよう構成された光ディスク再生装置であって、光ディスク再生信号を基にＰＲＭＬ方式にて情報再生を行い、基準クロックの周期をＴ、光ディスクに記録された最短マークをｎ０Ｔ、そのマーク長をＬ´ｎ0Ｔとした場合、（Ｌ´ｎ0Ｔ／ｎ０）／０．６  以上の長さを前記周期に対応する長さとして、情報再生用基準クロックを生成することを特徴とする光ディスク再生装置。
【請求項１２】
直径が０．３４−０．６３μｍのレーザ光スポットを用いて、光ディスクに記録されたマークを再生することを特徴とする請求項１１記載の光ディスク再生装置。
【発明の詳細な説明】
【技術分野】
【０００１】
本発明は光ディスクに関し、特に光ディスク上に形成される情報ピットの形状に関する。
【背景技術】
【０００２】
光ディスクにおいてＲＯＭディスク又はＲＡＭディスクのプリフォーマット部など、あらかじめデータが記録されている部分はピットと呼ばれる凹凸が透明成形基板上に刻まれている。このようなピットは、レーザ光が約０．６ｍｍの成形基板を介して照射され、その反射光強度に基づいて読取られる。
【０００３】
ピットは記録情報に応じてサイズを変えて形成されているが、その大きさはサブミクロンオーダーである。できるだけ小さなピットをできるだけ正確に形成することが、光ディスクの記録密度を上げる上で重要である。
【０００４】
例えば現在のＤＶＤ−ＲＯＭでは最短ピット長（周方向サイズ）は０．４０μｍ、深さは１００ｎｍ程度で底辺が平らな円錐台形になっている。従来のＤＶＤは再生波形を所定閾値でスライス（２値化）することにより各ピットの時間的長さを読み取り、その長さをデータに変換することで情報再生を行っている。この方法で正確に再生するには、ピット長が安定して形成されていること、スライスできるだけの充分な信号振幅が得られること、及び特に最短ピットの再生信号中心と最長ピット再生信号中心のレベル差に基づいて定まるアシンメトリが小さいこと等が必要である。
【０００５】
近年になってＨＤ  ＤＶＤ、ＢＤ(Blu-ray Disc)等、記録容量を従来のＤＶＤより拡大した光ディスクが開発されている。ＨＤ  ＤＶＤは従来のＤＶＤのように情報を記録した記録面を一方あるいは各々有する２枚の厚さ０．６ｍｍ基板を記録面で貼り合せたディスクである。記録された情報は、ピット再生信号波形の振幅を多値に変換して復号するＰＲＭＬ(Partial Response and Maximum Likelihood)方式により再生される。ＢＤは片側に１層又は２層の記録面を有する厚さ１．１ｍｍ基板の記録面側に、厚さ０．１ｍｍ程度のカバー層を形成したディスクである。記録された情報は、ピット再生信号波形を閾値電圧でスライスすることにより２値化する２値化法により再生される。下記特許文献１では、容量が比較的大きなＢＤのようなディスクの情報再生を容易とするためのピット形状を開示している。
【特許文献１】特開２００６−６５９４２号公報
【発明の開示】
【発明が解決しようとする課題】
【０００６】
最近になって、記録容量がＨＤ  ＤＶＤやＢＤを大幅に上回るディスクを製造するための原盤記録装置（本願ではこれを次世代原盤記録装置と記載する）が開発されている。このような次世代原盤記録装置は、記録光源として電子ビームを用いたものやレーザによる熱記録を応用したものがあり、数百ＧＢの情報記録が可能と予想されている。
【０００７】
次世代原盤記録装置を用いて光ディスクを製作すると、ピット壁面の傾斜角度が急峻となり、最短マークの再生信号振幅は比較的大きくなるが、最短マークのアシンメトリも大きな値となる。ＰＲＭＬ方式は、再生信号波形の振幅を多値に変換して情報再生するので、再生信号のアシンメトリはできるだけ小さいほうがよい。従って次世代原盤記録装置を用いて製作されたディスクは、ＰＲＭＬ方式の情報再生が困難となることがある。上記特許文献１には、このような次世代原盤記録装置を用いて光ディスクを作成する技術は何ら記述されていない。
【０００８】
従って本発明は、次世代原盤記録装置を用いて製作されたディスクであって、再生信号のアシンメトリが安定した情報再生を可能とする小さい値となる光ディスクを提供することを目的としている。
【課題を解決するための手段】
【０００９】
本発明の１実施形態に係る光ディスクは、基準クロックから算出される最短マーク長をＬｎ０Ｔとしたとき、光ディスク上に記録されている実際の最短マーク長がＬｎ0Ｔ×０．６以下であることを特徴とする。
【発明の効果】
【００１０】
本発明によれば、次世代原盤記録装置を用いて製作され、再生信号のアシンメトリが安定した情報再生を可能とする小さい値となる光ディスクが提供される。この光ディスクは例えばＰＲＭＬ方式にて情報再生する再生装置にて好適に再生される。
【発明を実施するための最良の形態】
【００１１】
以下、図面を参照して本発明の実施の形態を説明する。
【００１２】
本実施形態では、光ディスクの直径は１２０ｍｍ、厚さは１．２ｍｍ（０．６ｍｍの基板２枚の貼り合せ）、かつ再生専用のＨＤ  ＤＶＤ−ＲＯＭディスクであるとする。しかし本発明はこの形態に限られるわけではなく、ＢＤのように１．１ｍｍの基板に０．１ｍｍのカバー層をつけたディスクでも良く、ＣＤ−ＲＯＭやＤＶＤ−ＲＯＭのようにピットサイズがより大きな（又は小さな）ディスクでも良く、又記録可能なＲディスクやＲＡＭディスクのプリピット部なども含む。
【００１３】
本実施形態に係るディスクは、基準クロックから算出される最短マークｎ０Ｔのマーク長Ｌｎ０Ｔの範囲は、０．１７μｍ〜０．２１μｍである。例えば現行のＨＤ  ＤＶＤの場合、基準クロックの周期Ｔをディスク上の長さに直すと０．１０２μｍ、最短マークは２Ｔであるためその長さは０．２０４μｍとなり、上記マーク長範囲に含まれている。又、このディスクは０．３４〜０．６３μｍのレーザ光ビームスポットにより再生されるものとする。このビームスポットの範囲は、現行のＨＤ  ＤＶＤ再生装置の再生用ビームスポットの範囲を含む。
【００１４】
図１は従来の光ディスク原盤記録装置で作製した光ディスクのマーク形状を示し、（ａ）は俯瞰図、（ｂ）は断面図である。図２は従来の光ディスク原盤記録装置で作製した光ディスクの信号再生波形を示す図である。光ディスク、特に再生専用光ディスクのようなプリレコードなディスクでは、通常図１のようなピット状のマークが記録され、レーザ光にて記録情報が読み取られる。レーザ光は図１の矢印に示す方向で光ディスクに入射して反射面１２を反射し、反射光の強度に基づいて情報が読取られる。
【００１５】
図１において１０は最短マーク（２Ｔマーク）、１１はその他のマークである。従来の光ディスク原盤記録装置、具体的には記録光源として波長２６６ｎｍ以下のレーザを使用した原盤記録装置を用いて作製した光ディスクは、ピットサイズに比べて露光光源の解像度が十分ではない。そのためピット壁面１２ｗの傾斜が急峻とはならず、特に最短マーク断面を矩形に形成するのは困難である。この場合最短マークからの再生信号は、振幅が小さくなりレベルもハイレベル寄りになるが、結果的にアシンメトリが図２のように小さくなり、復号にＰＲＭＬ法を用いる光ディスクでは逆に好ましい（特開２００４−１２７４６８号公報）。
【００１６】
図２において、Ｗ２Ｔは２Ｔ符号ピット（最短ピット）の再生信号波形、Ｗ３Ｔは３Ｔ符号ピットの再生信号波形、ＷＭＴは最長符号ピットの再生信号波形、Ａ２Ｔは２Ｔ符号ピット再生信号の振幅、ＡＭＴは最長符号ピット再生信号の振幅、Ｌ２Ｔは２Ｔ符号ピット再生信号波形の中心レベル、ＬＭＴは最長符号ピットの再生信号波形の中心レベル、Ｄは中心レベルＬＭＴから中心レベルＬ２Ｔを引いたレベル差（ＬＭＴ−Ｌ２Ｔ）とする。
【００１７】
アシンメトリは各符号のピット再生信号について定義できるが、本実施例では、特に説明のない限り最も重要な２Ｔ符号のアシンメトリとする。すなわち、ここでアシンメトリとは、レベル差Ｄを最長符号ピットの再生信号波形振幅ＡＭＴで割った値（Ｄ／ＡＭＴ）とする。
【００１８】
図３は次世代原盤記録装置を用いて、図１のディスクと同様のビーム照射タイミングでピットを形成した光ディスクのピット断面図、図４は図３の光ディスクの再生信号波形である。
【００１９】
図３において３０は最短マーク、３１はその他のマーク、３２は再生ビームスポットである。次世代原盤記録装置、具体的には記録光源として電子ビームを用いたものやレーザによる熱記録を応用したものを用いて光ディスクを作製した場合、記録装置の解像度に余裕があるため、ピット壁面１２ｗの壁角θは急峻となり最短マークも十分その断面を矩形のピットとして形成することが出来る。従来の原盤記録装置と次世代原盤記録装置を用いて製作されるディスクのビット壁角の違いを図５に示す。従来の原盤記録装置により形成されるピットの前後壁角は２２°程度、左右壁角３８°程度であるのに対し、次世代原盤記録装置の場合は、前後壁角４３°程度、左右壁角４８°程度となる。尚、図５に示す次世代原盤記録装置の壁角は、記録装置のばらつき、測定精度等を考慮すると、それぞれ±５％程度の範囲を有している。このように壁角が急峻となるので、次世代原盤記録装置を用いてディスクを製作すると、同一マーク長のマークであっても反射面１２の底面１２ｂが従来に比べ大きくなる。
【００２０】
次世代の原盤記録装置を用いた場合、図４のように最短マークの振幅は一般的に大きくなるが、最短マークの再生信号中心レベルは従来より低いレベルとなり、よってアシンメトリは大きな値となる。従ってこのように製作されたディスクは、再生信号波形の振幅を多値に変換して復号する（そのためアシンメトリに敏感な）ＰＲＭＬ方式での情報再生には向かない。この現象は最短マークに限らず、再生ドライブの再生ビームスポット径よりも小さなマークにおいて起こる可能性がある。
【００２１】
以下、次世代原盤記録装置を用いた場合に、アシンメトリが大きな値となる理由を図３を参照して説明する。再生用光ビーム３２は、反射面１２の上面１２ｕ付近にフォーカス点が合うようにフォーカス制御される。上面１２ｕに入射した光は全反射するのでその反射光レベルは高い。しかし底面１２ｂに入射した光の反射光は上面１２ｕの反射光と干渉して反射光レベルは低い。つまり上面１２ｕの反射光はハイレベル信号となり、底面１２ｂの反射光はローレベル信号となる。再生ビームスポット３２の面積は、一般に最短ピット３０より大きい。更に前述したように、次世代原盤記録装置を用いると、同一マーク長のマークであっても底面１２ｂが従来より大きくなる。
【００２２】
従って、同じ最短マークを再生する場合でも、図３のように次世代原盤記録装置で製作した最短マークの再生信号中心レベルは、図１の従来の原盤記録装置で製作した最短マークの再生信号中心レベルより低くなる。この結果、アシンメトリが大きくなる。現行のＨＤ  ＤＶＤ再生装置のように、再生ビームスポット径が最短マーク長の２〜３倍の場合、このようにアシンメトリが大きくなる現象が顕著に現れる。
【００２３】
図６は本発明の１実施形態に係る光ディスクのマーク形状を示す断面図である。
【００２４】
本実施形態では、ディスク上に記録されるマーク（ピット）５３（実線で示される円又は楕円）を、従来のマーク５０（点線で示される楕円）より小さくして記録する。従来のマーク５０は基準クロックから算出された長さを有する。図７は本実施形態に従って形成される２Ｔ〜１１Ｔのマーク（実線の円又は楕円）を示す図であり、点線の楕円は従来のマークを示す。マークの下には１Ｔあたりの実際のマーク長が示されている。これらマークの壁角は、図５に示すように前後壁角２２°、左右壁角３８°とする。このように本実施形態に係るディスクは、基準クロックから算出されるマーク長が小さいマークほど、実際のマーク長を従来より短く設定（１Ｔあたりのマーク長を短く設定）してマークが記録される。
【００２５】
ここで、基準クロックＴから算出されるｎＴマークの理論的マーク長をＬｎＴ、その実際の長さをＬ´ｎＴとし、
ＬｎＴ＜（再生ドライブの再生ビームスポット径）を満たすｎをｎ１、
ＬｎＴ＞（再生ドライブの再生ビームスポット径）を満たすｎをｎ２、
とした場合、本実施形態に係るディスクは以下のようになる。
【００２６】
Ｌ´ｎ1Ｔ／ｎ１  ＜  ＬｎＴ／ｎ、
ここでＬｎＴ／ｎは、１Ｔあたりの理論的マーク長を示す。更に望ましくは、次のように設定される。
【００２７】
Ｌ´ｎ1Ｔ／ｎ１  ＜  Ｌ´ｎ２Ｔ／ｎ２  ≦  ＬｎＴ／ｎ
つまり、ピット長の理論値が短いピットほど、その実寸を理論値よりも小さくなるように設定する。更に最短マークｎ０Ｔについては、実際のマーク長Ｌ´ｎ０Ｔを、マーク長理論値Ｌｎ０Ｔの０．６倍より小さい値に設定する。すなわち、全てのマークの実寸は理論的マーク長よりも同じか小さく、加えて少なくとも再生スポット径よりも小さなマークはその実寸が理論的マーク長よりも大幅に小さい。実際の最短マーク長を理論値の０．６倍（約０．１２２μｍ）以下にすることにより、再生信号のアシンメトリが小さい値となり、次世代原盤記録装置で製作したディスクでも、現行のＨＤ  ＤＶＤ再生装置（プレイヤー）により問題なく再生できる。尚、実際の最短マーク長の倍率の最小値としては０．３倍（約６１μｍ）である。つまり実際の最短マーク長を理論値の０．３倍にしても、その再生信号の振幅は現行のＨＤ  ＤＶＤ再生装置により読み取れる大きさである。
【００２８】
なお本実施形態に係るディスクは、最短マークを記録するのに十分な解像度を持っている原盤記録装置（露光機）を用いて製作された原盤から製造される。原盤記録に用いる記録用ビーム径が最短ピット長理論値の０．９倍程度で、ピットの壁角は急峻（ピット断面が矩形）といえる角度になる。従って、ビーム径が最短ピット長理論値の０．９倍以下の記録用ビームを用いることにより、容易に高密度なディスクを製作することができる。例えば本実施例にかかるＨＤ  ＤＶＤ原盤の場合は、電子ビーム記録方式の次世代原盤記録装置により記録される。ピット断面が矩形で十分な解像度を持った結果、記録したピットの深さは全て揃っており、そのため再生信号品質が安定している。但し、相変化材料や色素材料を用いた熱記録による原盤記録の場合はこの限りではない。
【００２９】
又、前述したように本実施形態によれば、現行のＨＤ  ＤＶＤ（記録容量：１５ＧＢ／層）より高記録密度ディスクを容易に作製することができる。現行のＨＤ  ＤＶＤの場合、基準クロックから算出される最短マーク長は０．２０４μｍであるが、記録容量を１８ＧＢ／層に増加した場合、理論的最短マーク長は０．１７μｍとなる。この場合、理論的最短マーク長Ｌｎ0Ｔの範囲は、実質的に０．１７μｍ〜０．２１μｍとなる。
【００３０】
更に、現行のＨＤ  ＤＶＤ再生装置では好適に、再生ビームスポットの直径を理論的最短ピット長の２〜３倍に設定してマークを読み取る。従って、上記のように理論的最短マーク長Ｌｎ0Ｔの範囲が、実質的に０．１７μｍ〜０．２１μｍの場合、光ディスク再生装置は、直径０．３４μｍ（＝０．１７μｍ×２）〜０．６３μｍ（＝０．２１μｍ×３）のレーザ光スポットにより再生される。
【００３１】
以下に光ディスクの作製方法を図８に沿って述べる。基本的な流れは従来の記録装置を用いた光ディスクも、次世代の記録装置を用いた光ディスクも、本発明の光ディスクも変わらないが、相違するところは合わせて述べる。
【００３２】
先ず、原盤としては表面を研磨洗浄したガラス（電子ビーム記録などの場合はＳｉウエハ）４１を用いる（ステップ１０１)。その原盤表面にフォトレジスト４２を塗布（熱記録などの場合は無機材料のスパッタ若しくは有機材料のスピンコート）し（ステップ１０２)、その表面をレーザ光又は電子ビーム４６で露光することで情報を記録する（ステップ１０３)。次に露光した原盤を現像してピットの凹凸を形成する（ステップ１０４)。その原盤をメッキ処理することで、厚さ３００μｍ程度のスタンパ４３を作成する（ステップ１０５)。ここで本発明は、上述のマーク長に規定されたピットを持つディスク成形型（スタンパ）を含む。このスタンパ４３を型として射出成形することにより樹脂(一般にはポリカーボネート)成形板４４を作成する（ステップ１０６)。その後、その成形板４４に反射膜や記録膜を成膜し（ステップ１０７)、成形板を２枚貼り合せ（又はカバー層を形成し）て（ステップ１０８）、光ディスクの完成となる。
【００３３】
本発明が適用される光ディスクは、ステップ１０３の原盤記録工程に次世代高密度原盤記録装置（例えばＨＤ  ＤＶＤ原盤の場合は電子ビーム記録又はレーザによる熱記録）を用いて原盤を製作する。この次世代高密度原盤記録装置は、現在のＨＤ  ＤＶＤあるいはＢＤについても露光解像度に余裕があり、最短マークが他のマーク長のマークと遜色ない反射レベル（信号振幅レベル）となる。しかし前述したように、従来と同様のビーム照射タイミングでマークを製作するとアシンメトリが大きな値になってしまい、結果として、特に信号レベル精度が重要なＰＲＭＬ方式においては正しい再生が出来ない。
【００３４】
例えばＨＤ  ＤＶＤの場合、理論的最短マーク長は０．２０４μｍであるが、電子ビーム記録装置であればビームスポット径を７０ｎｍ程度に絞る事が可能である（逆に同一の装置構成では現行原盤記録装置並みの数百ｎｍ等の大きなスポット径を得ることは出来ない）。そのようにビームスポット径を絞った場合でも生産に支障のない露光線速及び露光時間が得られる。しかし、７０ｎｍのスポットで０．２０４μｍのマークを記録した場合、解像力に余裕がある上に、電子線露光によるピット壁角が従来の光露光よりも急峻で、図３に示すようなピット形状となり、上述のようなＰＲＭＬ方式の再生では、再生信号特性の劣化（アシンメトリの拡大）を招く。そこで例えば、再生ドライブのビームスポットよりも小さなマーク（特に最短マーク）の実寸を、従来より小さくすることによってアシンメトリを調整する事が可能である。これにより特にＰＲＭＬ方式で再生する場合に理想的な信号波形を得ることが出来る。
【００３５】
このように本実施形態に係る光ディスクは、情報を示すマークがピット状の凹凸により形成され、ピット壁面の傾斜角度（壁角）に応じて、実際の最短マーク長が設定されている。従来に比べ壁角が大きい（急峻な）ほど、実際の最短マーク長を短く設定するのが望ましい。
【００３６】
本発明の要件を満たした光ディスクを実際に作製した。光ディスクの表面ＡＦＭ（Atomic Force Microscope）像を示す図面を図９に示す。記録密度はディスク１層あたり１５ＧＢのＨＤ  ＤＶＤ−ＲＯＭディスクであり、基準クロックから算出される最短マークの理論的マーク長は０．２０４μｍである。原盤記録装置のビームスポット径が例えば８０ｎｍであったため、最初は上述の問題が生じ、それを解決するため最短マークのマーク長の実寸を変更した。
【００３７】
今回、最短マーク長の実寸は０．０９０μｍとした（理論的マーク長の０．４４倍）、その結果、アシンメトリが小さく（各マーク長の信号振幅の中心レベルが中央に揃った）ＰＲＭＬ再生方式に対して理想的な信号波形を得ることが出来た。なお再生に用いたドライブのビームスポット径は、０．５５０μｍ（波長４０５ｎｍ，ＮＡ０．６５）であった。
【００３８】
以上のように、本発明で規定するマーク長を用いれば、次世代原盤記録装置を用いても、ＨＤ  ＤＶＤやＢＤなどの（次世代原盤記録装置の解像力に対して比較的低密度な）現行光ディスクを製造することが出来る。そしてその効果は、ＰＲＭＬ法で情報再生を行う光ディスクにおいて特に顕著である。
【００３９】
このように本発明に拠れば、ＰＲＭＬなどの信号処理に最適化された再生信号波形が得られるとともに、次世代の高密度光ディスク向けにビームスポットを絞った次世代原盤記録装置により旧世代の低密度光ディスク原盤を記録できるため、装置の稼働率を高めることも出来る。
【００４０】
次に、上記したような形状のピットが形成された光ディスクを用いて情報の記録再生を行う光ディスク装置の実施形態を説明する。図１０は本実施形態に係る光ディスク装置の構成を示すブロック図である。
【００４１】
光ディスク６１は読出し専用の光ディスクあるいはユーザデータを記録可能な光ディスクである。光ディスク６１はスピンドルモータ６３によって回転駆動される。光ディスク６１に対する情報の記録又は再生は、光ピックアップヘッド（以下ＰＵＨと記載）６５によって行われる。ＰＵＨ６５は、スレッドモータ６６とギアを介して連結されており、このスレッドモータ６６はスレッドモータ制御回路６８により制御される。
【００４２】
スレッドモータ制御回路６８には、ＣＰＵ９０からＰＨＵ６５のシーク先アドレスが入力され、このアドレスに基づいてスレッドモータ制御回路６８はスレッドモータ６６を制御する。スレッドモータ６６内部に永久磁石が固定されており、駆動コイル６７がスレッドモータ制御回路６８によって励磁されることにより、ＰＵＨ６５が光ディスク６１の半径方向に移動する。
【００４３】
ＰＵＨ６５には、図示しないワイヤ或いは板バネによって支持された対物レンズ７０が設けられる。対物レンズ７０は駆動コイル７２の駆動によりフォーカシング方向（レンズの光軸方向）への移動が可能で、又駆動コイル７１の駆動によりトラッキング方向（レンズの光軸と直交する方向）への移動が可能である。
【００４４】
記録データはレーザ制御回路７３内の変調回路７４を介してレーザ駆動回路７５に入力され、レーザ駆動回路７５は入力データに基づいて半導体レーザ７９を駆動しレーザ光が発せられる。半導体レーザ７９から発せられるレーザ光は、コリメータレンズ８０、ハーフプリズム８１、対物レンズ７０を介して光ディスク６１上に照射される。光ディスク６１からの反射光は、対物レンズ７０、ハーフプリズム８１、集光レンズ８２、およびシリンドリカルレンズ８３を介して、光検出器８４に導かれる。
【００４５】
光検出器８４は、例えば４分割の光検出セルから成り、分割された各光検出セルの検知信号はＲＦアンプ８５に出力される。ＲＦアンプ８５は光検知セルからの信号を合成し、ジャストフォーカスからの誤差を示すフォーカスエラー信号ＦＥ、レーザ光のビームスポット中心とトラック中心との誤差を示すトラッキングエラー信号ＴＥ、及び光検知セル信号の全加算信号であるＲＦ信号を生成する。
【００４６】
フォーカスエラー信号ＦＥはフォーカシング制御回路８７に供給される。フォーカシング制御回路８７はフォーカスエラー信号ＦＥに応じてフォーカス制御信号ＦＣを生成する。フォーカス制御信号ＦＣはフォーカシング方向の駆動コイル７２に供給され、レーザ光が光ディスク６１の記録膜上に常時ジャストフォーカスとなるフォーカスサーボが行われる。
【００４７】
トラッキングエラー信号ＴＥはトラッキング制御回路８８に供給される。トラッキング制御回路８８はトラッキングエラー信号ＴＥに応じてトラッキング制御信号ＴＣを生成する。トラッキング制御信号ＴＣはトラッキング方向の駆動コイル７２に供給され、レーザ光が光ディスク６１上に形成されたトラック上を常にトレースするトラッキングサーボが行われる。
【００４８】
上記フォーカスサーボおよびトラッキングサーボがなされることで、光検出器８４の各光検出セルの出力信号の全加算信号ＲＦには、光ディスク６１のトラック上に形成されたピットなどからの反射光の変化が反映される。この信号は、データ再生回路７８に供給される。データ再生回路７８は、ＰＬＬ回路７６からの再生用クロック信号に基づき、記録データを再生する。
【００４９】
上記トラッキング制御回路８８によって対物レンズ７０が制御されているとき、スレッドモータ制御回路６８により、対物レンズ７０がＰＵＨ６５内の所定位置近傍に位置するようスレッドモータ６６つまりＰＵＨ６５が制御される。
【００５０】
モータ制御回路６４、スレッドモータ制御回路６８、レーザ制御回路７３、ＰＬＬ回路７６、データ再生回路７８、フォーカシング制御回路８７、トラッキング制御回路８８、エラー訂正回路６２等は、バス８９を介してＣＰＵ９０によって制御される。ＣＰＵ９０はインターフェース回路９３を介してホスト装置９４から提供される動作コマンドに従って、この記録再生装置を総合的に制御する。又ＣＰＵ９０は、ＲＡＭ９１を作業エリアとして使用し、ＲＯＭ９２に記録されたプログラムに従って所定の動作を行う。
【００５１】
データ再生回路７８は情報再生信号波形を閾値電圧でスライスすることにより２値化する２値化法、又は情報再生信号波形の振幅を多値に変換して復号するＰＲＭＬ方式により情報再生を行う。
【００５２】
更に、対物レンズ７１により得られる再生ビームスポットの直径は好適に、理論的最短ピット長の２〜３倍に設定される。本実施例に係る光ディスクは、前述したように理論的最短マーク長Ｌｎ0Ｔの範囲が、０．１７μｍ〜０．２１μｍであるから、この光ディスク再生装置は、少なくとも直径０．３４μｍ〜０．６３μｍのレーザ光スポットを用いて光ディスクを再生する。
【００５３】
又、この光ディスク再生装置は、基準クロックから算出される理論的マーク長よりも短いマークを持つ本願の光ディスクの再生波形を元に、正しい基準クロックを算出して信号再生を行う。例えば、実際の最短マークｎ０Ｔのマーク長をＬ´ｎ０Ｔとした場合、（Ｌ´ｎ０Ｔ／ｎ０）／０．６以上の長さ（ｎ０：整数でＨＤ  ＤＶＤの場合は２）を一周期に対応する長さとして生成された基準クロックにより、信号を再生する。
【００５４】
以上の説明はこの発明の実施の形態であって、この発明の装置及び方法を限定するものではなく、様々な変形例を容易に実施することができる。
【図面の簡単な説明】
【００５５】
【図１】従来の光ディスク原盤記録装置で作製した光ディスクのマーク形状を示す図である。
【図２】従来の光ディスク原盤記録装置で作製した光ディスクの信号再生波形を示す図である。
【図３】次世代原盤記録装置を用いて、図１のディスクと同様のビーム照射タイミングでマークを記録した光ディスクのマーク形状を示す図である。
【図４】図３に示す光ディスクの再生信号波形である。
【図５】従来の原盤記録装置と次世代原盤記録装置を用いて製作されるディスクのビット壁角の違いを示す図である。
【図６】本発明の１実施形態に係る光ディスクのマーク形状を示す図である。
【図７】本実施形態に従って形成される２Ｔ〜１１Ｔのマーク（実線の円又は楕円）を示す図である。
【図８】本実施形態に係る光ディスクの作製方法を示す工程図。
【図９】光ディスクの表面ＡＦＭ（Atomic Force Microscope）像を示す図である。
【図１０】本実施形態に係る光ディスク装置の構成を示すブロック図である。
【符号の説明】
【００５６】
１０…従来の最短マーク、１１…従来のその他のマーク、１２…反射面、４１…原盤、４２…フォトレジスト、４３…スタンパ、４４、４５…樹脂成形板、５０…理論値に基づく最短マーク、５３…本発明に係る最短マーク、理論値に基づくその他のマーク。
【図１】
2008299955.tif 000003
【図２】
2008299955.tif 000004
【図３】
2008299955.tif 000005
【図４】
2008299955.tif 000006
【図５】
2008299955.tif 000007
【図６】
2008299955.tif 000008
【図７】
2008299955.tif 000009
【図８】
2008299955.tif 000010
【図９】
2008299955.tif 000011
【図１０】
2008299955.tif 000012